(57)【要約】      （修正有）【課題】ハイヒール、サンダル等のつま先の痛み軽減対策と外反母趾を予防する足カバーを提供する。【解決手段】リング状の帯状体よりなる本体と、本体の一方の開口部に親指を挿入する部分と残り４指をまとめて挿入する部分を分離するための接続部を設ける。本体の内側の中足骨と対応する部分にクッションを設け、本体の外側の足裏に対応する部分に滑り止めを設ける。【選択図】図１
0003169411.tif 000002
【実用新案登録請求の範囲】
【請求項１】
リング状の帯状体よりなる本体と、上記本体の一方の開口部に親指を挿入する部分と残り４指をまとめて挿入する部分を分離するための接続部を設けるとともに、上記本体の内側の中足骨と対応する部分にクッションを設けるとともに、上記本体の外側の足裏に対応する部分に滑り止めを設けた足カバー。
【請求項２】
前記中足骨中部に対応する内側部分のクッションの表布は抗菌布であって織地から形成したものであり、前記中間層の弾性材は硬度２０から硬度２３のポリウレタンフォームからなるもので、前記底材はポリウレタンフォームシート材からなるものを重合した積層体のクッションである請求項１に記載の足カバー。
【請求項３】
クッションは、中足骨中部の形状に対応させた山形状及び厚みを有するものであって、３Ｄ立体形成金型で上記三層を加熱圧縮して一体融着し、上記積層体をその後金型より取り出して底面部を同形状に裁断したものである請求項２に記載の足カバー。
【考案の詳細な説明】
【技術分野】
【０００１】
本考案は、パンプス、サンダル等の着用時に足に装着して歩行時の衝撃や負荷によるつま先の痛み軽減対策と外反母趾の予防のための足カバーに関する。        
【背景技術】
【０００２】
高いヒールを有するパンプス、サンダル等の履物の着用時には重心が前に移動して足指と中足骨頭部に集中的に荷重がかかり、歩行時に滑りながら起こるつま先の痛みや、足のアーチの崩れから外反母を招いたり、タコができやすくなる。そのため、従来より靴やサンダル等の着用時に足裏の前部に装着する足裏衝撃対策用インソールや外反母趾矯正用サポーター等が種々提供されている。        
【先行技術文献】
【特許文献】
【０００３】
【特許文献１】第２９１３１９２号
【特許文献２】実用新案登録第３１５８５８号
【考案の概要】
【考案が解決しようとする課題】
【０００４】
前記した従来提案されている特許文献１〜２の外反母趾対策サポーターは、母指と第２指の間にクッションを取り付けた、外反母趾治療専用の矯正具であって外反母趾でない人用に装着するものではない。そのためこれを装着すると足に厚みが出るため頭先の細いパンプス等には装着しずらい。また、ベンハー等の鼻緒付きの履物には指間にクッション材があるため装着できない。また、サンダル等には矯正用サポーターは外観性に問題がある。
本考案は、これを解決し厚みが出ないで外反母趾予防効果が十分期待できる足カバーを提供することを目的としている。
【課題を解決するための手段】
【０００５】
前記課題を解決するための本考案の第１考案は、請求項１に記載された通りの足カバーで次のようなものである。
リング状の帯状体よりなる本体と、上記本体の一方の開口部に親指を挿入する部分と残りの４指をまとめて挿入する部分を分離するための接続部を設けるとともに、上記本体の内側の中足骨と対応する部分にクッションを設けて、上記本体の外側の足裏に対応する部分に滑り止めを設ける構成である。
【０００６】
前記課題を解決するための本考案の第２考案は請求項２に記載された通りの足カバーで次のようなものである。
上記クッションの上面部の表布は抗菌布を使用しているもので、上記クッションの中部の弾性材は硬度２０から硬度２３のポリウレタンフォームからなるもので上記底材はポリウレタンシート材からなるもので、厚み１.３mm〜１.７mmを使用して重合した三層からなる積層体のクッションを設ける構成である。
【０００７】
前記課題を解決するための本考案の第３考案は請求項３に記載された通りの足カバーで次のようなものである。
上記クッションは中足骨中部の形状に対応させるために、山形状及び厚みのあるもので製造方法を提供している。
製造方法は、上面部が布で中部は弾性材で底材は平板状の弾性材シートの三層の積層体を３D立体形成した金型を圧縮させた状態で加熱して、一体融着し、その後金型より取り出して、底面部の形状に沿わせた金型で裁断する構成である。
【考案の効果】
【０００８】
本考案の足カバーは前記説明したような構成であるので以下に記載する効果を奏する。
（１）母指と第２指の指間をブリッジして布で接続部を設けることで指間が広がり外反母趾を予防する効果がある。
（２）指間をブリッジして布を設けることで、ベンハー等の鼻緒付きの履物での歩行時におこる足指と鼻緒の接触摩擦や押圧による痛みを軽減する効果がある。
（３）指間を仕切ることで指が固定される。さらに母指挿入孔部分と第２指から第５指の４指をまとめて挿入する部分と本考案足カバーの足挿入孔部分に伸縮性のある平ゴムを使用して挿入孔部分を絞り締め付けることで指がさらに固定され歩行時に足カバーが足からずれにくく脱げにくく、クッションの位置も安定する効果がある。
（４）指先に厚みが出ない構成であるので、頭先の細いパンプス等にも装着して外反母趾を予防できる。
（５）上記足カバーの布の素材は伸縮性、通気性を備えたものであれば素材は限定されない。例えば花柄のストレッチレースを使用することで外観性にも優れた効果を有する。
（６）中足骨中部に対応する内側部分にクッションを設けることで足裏に横アーチ、縦アーチを再生して外反母趾を予防する効果がある。
（７）上記クッションの上面部の表布は直接足裏面に接触する部分であって、抗菌布にすることで衛生的に使用することができる。
（８）上記クッションの中部の弾性材は硬度２０から硬度２３のポリウレタンフォームを用いることで歩行時の荷重による地面からの衝撃を反発させバウンドさせることで足の返りが軽くなり、歩行時を軽快にする効果がある。
（９）上記クッションの底材はポリウレタンフォームシートを用いて、厚み１.３ｍｍ〜１.７ｍｍを使用するが１.５ｍｍが好ましく、体重による上記中部の弾性材の沈みを吸収させず反発させる効果がある。
（１０）上記の三層からなるクッションは足裏の荷重と衝撃を反発させてバウンドすることで足の返りを軽くすることで歩行時の足の疲れ等を軽減することができる。また足裏のタコを予防する効果がある。
【図面の簡単な説明】
【０００９】
【図１】第１実施形態の足カバーの斜視図である。
【図２】図１のクッションの断面図である。
【図３】図２を示す足カバーの全体の断面図である。
【図４】足カバー内側の平面図である。
【図５】足カバーの底面図である。
【図６】装着時の上面図である。
【図７】装着時の底面図である。
【図８】装着時の実施例である。
【図９】ハイヒール着用時の立ち方の骨格の種類と足アーチの説明である。
【図１０】正しい骨格と足アーチの説明図である。
【考案を実施するための形態】
【実施例１】
【００１０】
本考案の実施形態を図面を参照して説明する。
図１は本考案の足カバー６の斜視図を示し、図２は図１の４a、４b、４cの断面図を示し図３は図１の断面図を示す。
足カバー６は図６の母指Ａと第２指から第５指Ｂを除く足前部側に装着されるものであり、足挿入孔９から足Cを挿入して、母指挿入孔１から母指Ａを挿入して第２指から第５指挿入孔２から第２指から第５指Ｂを挿入して装着する。
本実施形態では右足用の足カバー６についても説明するが左右対称となる左足用についても同様である。
【００１１】
図１の４のクッションは図２の断面図に示されるように、三層からなる積層体である。上部４aは、織地からなる抗菌布で中部４bはウレタンフォームからなる硬度２０から硬度２３の弾性材で、底部４cは厚み１.３mm〜１.７mmのウレタンフォームシートからなる。４のクッションは３D立体形成型で圧縮加熱することで足裏形状に対応した立体形状を形成している。
【００１２】
図１のクッション４は中足骨中部に対応する足カバー６の内側部分に設けており、図３で示すように中足骨の裏側のアーチに沿うように穏やかな傾斜面の山形状としている。本実施形態図２の４は膨出部中央の厚みが最大７ｍｍとし、足横幅方向は４４ｍｍとしている。
【００１３】
図２の表布４aは足裏面の中足骨中部に直接に接触するため衛生的な抗菌布にする。
【００１４】
図２の弾性材４bは硬度２０から硬度２３のポリウレタンフォームからなるもので、さらに、硬度２２のポリウレタンフォームを用いるとより好ましい。歩行時に繰り返し受ける衝撃的な押圧力を硬度２０から硬度２３の弾性材の高反発力でバウンドさせて足の返りを軽くして足の移動を楽にして足の疲労等を軽減する。
前記弾性材４ｂは硬度２０以下では弾性材の密度が低く空気を多く含んで柔らかく弾力性が弱く荷重がかかると反発力が少ないため沈んでしまいバウンドしない。また硬度２３以上では弾性材の密度が高く空気が入らないので硬い。したがって硬度２０から硬度２３のポリウレタンフォームを用いると荷重をかけても沈まずバウンドしない。さらに足裏は柔らかいので弾性材が硬すぎると接触する足裏部分が痛いので好ましくない。
【００１５】
図２の底面部４cはウレタンフォームシートからなる平板状の硬目のシートで厚み１.３mm〜１.７mmからなる。弾性材４bの弾力性に対して１.３mm〜１.７mmの厚みは押圧力に対抗できるため足裏側に弾性材４bが吸収されずバウンドが保持できる。
前記ウレタンフォームシート４cは前記弾性材４bの荷重がかかるときの沈みを止めて弾性材４bをバウンドさせるための補助をするものであって、ウレタンフォームシート４cを厚み１.３mm〜１.７mmより厚みを薄くすると前記弾性材４bに荷重がかかると足裏面に沈んでしまいバウンドが弱くなる。また厚み１.３mm〜１.７mmより厚みを厚くするとクッション４が厚くなりすぎて足カバー６に取り付けたとき足カバー６に厚みが出てしまい、細い頭先の靴等に装着できない。さらに足裏中足骨中部に対応する内側面部分が足裏アーチより高くなり足裏が浮いてしまい重心が定まらずバランスを崩すため好ましくない。
【００１６】
前記したクッション４は図２の４a、４b、４cからなる三層の積層体は３D立体形成金型で加熱圧縮して一体融着し、その後金型より取り出して底面部４cを同形状で幅２ｍｍ外側した金型に重合して外側部を裁断する。
【００１７】
足カバー６の内側図４のクッション４は底面部４cの外周縁２ｍｍ幅の中心部を伸縮性のあるナイロン性の糸で足カバー６内側７の中足骨に対応する中心部に縫製する。
【００１８】
本体６の形状及び素材は特に限定されず本考案の作用効果を妨げない範囲で他の構成を備えていても良い。図８は花柄ストレッチレースを使用した実施例である。
【００１９】
図６の母指挿入孔１と第２指から第５挿入孔２と足挿入孔８は平板状の伸縮性のゴムを使用し伸縮性のあるナイロン性の糸により縫製及び縁かがりをする。また足指挿入孔は母指から第５指までを個別にブリッジしてもよい。図８は挿入孔１、２、８に装飾用平ゴムを使用した実施例である。
【００２０】
図９は本考案の足カバーを装着しない状態でハイヒールの着用時の足先部の立ち方である。図９に示すように荷重面積部分が、大きく３種類に分類され、太矢印１０aに示す荷重部分により細矢印１０bに示す方向に片寄る。ハイヒールを着用すると重心の片寄り１０bにかかわらずアーチが崩れた１０cの状態となる。
前記ハイヒールの着用時に招く問題は足先の変形により足先への圧が強くなり、痛みを伴い足が足先方向に滑り足先は更に締め付けられ、足指の隙間がなくなり、足先の運動範囲が狭くなることで血行不良を起こし冷え性やむくみが悪化する。ヒールは踵が細くて不安定なので捻挫を防ぐため筋肉が過剰に働き足から腰にかけての筋肉が疲労する。さらにすねから膝にかけて捻れが伝わり膝の変形やＯ脚を招く。すねの捻れは骨盤にも伝達され腰に負担をかけ、骨格も徐々に歪み腰痛の原因にもなる。
本考案は前記課題を解決すると共に図１０の正しい骨格と足アーチを実現するため、中足骨中部に対応する内側にクッションを設け母指と第２指を仕切り布を設け、裏面に滑り止めを設けたハイヒール着用時に装着できる足カバーである。本考案の足カバーの装着時は図１０に示すように正しい骨格と足アーチが実現する。
【符号の説明】
【００２１】
１     母指挿入孔
２     第２指〜第５指挿入孔
３     母指と第２指の間
４     クッション
４a    上面  
４b    中面
４c    底面
５     滑り止め
６     本体部
７     内側表面
８     裏面
９     足挿入孔
１０a  太矢印
１０b  細矢印
１０c  アーチが崩れた状態
A     母指
B     第２指〜第５指
C     足
【図１】
0003169411.tif 000003
【図２】
0003169411.tif 000004
【図３】
0003169411.tif 000005
【図４】
0003169411.tif 000006
【図５】
0003169411.tif 000007
【図６】
0003169411.tif 000008
【図７】
0003169411.tif 000009
【図８】
0003169411.tif 000010
【図９】
0003169411.tif 000011
【図１０】
0003169411.tif 000012